(57)【要約】【課題】より短い時間で記録素子基板を配設面に対し精度良く接着することが可能なインクジェット記録ヘッドの製造方法を提供する。【解決手段】配設部材１２０の配設面１２１内に凸平面部１２４を形成することにより、記録素子基板１１０と配設部材１２０の接着層の中に熱硬化接着剤１２５の薄い箇所を部分的に設ける。そして、記録素子基板１１０と配設部材１２０の相対的な位置を調整した後に、上記薄い箇所の接着剤層を硬化させる。これにより、比較的短時間で記録素子基板１１０を配設部材１２０に接着することが可能となる。よって、配設面１２１に凹凸が存在する場合であっても、精度の高い状態で記録素子基板１１０と配設部材１２０を接着固定し、記録ヘッドの量産性を向上させることが可能となる。【選択図】図１
2010012774.tif 000002
【特許請求の範囲】
【請求項１】
インクを吐出するためのエネルギを発生する記録素子を備えた記録素子基板と、
該記録素子基板を配設するための配設面を備えた配設部材と、
前記記録素子基板の接着がなされる面と前記配設面との間に介在することにより、前記記録素子基板と前記配設部材とを接着するための接着剤と
を備えたインクジェット記録ヘッドであって、
前記配設面には少なくとも１つの、先端が前記接着がなされる面と平行な平面である凸部、が設けられ、前記接着剤は前記接着がなされる面と前記平面との間にも介在していることを特徴とするインクジェット記録ヘッド。
【請求項２】
前記平面と前記記録素子基板の前記接着がなされる面との間に存在する前記接着剤の厚さは、前記平面以外の前記配設面と前記記録素子基板の前記接着がなされる面との間に存在する前記接着剤の厚さよりも薄いことを特徴とする請求項１に記載のインクジェット記録ヘッド。
【請求項３】
前記配設面には複数の前記凸部が形成されていることを特徴とする請求項１または２に記載のインクジェット記録ヘッド。
【請求項４】
前記配設部材はモールド成型品であることを特徴とする請求項１乃至３のいずれかに記載のインクジェット記録ヘッド。
【請求項５】
前記配設部材は前記記録素子基板にインクを供給する供給路を備えることを特徴とする請求項１ないし４のいずれかに記載のインクジェット記録ヘッド。
【請求項６】
インクを吐出するためのエネルギを発生する記録素子を備えた記録素子基板と、
該記録素子基板を配設するための配設面と、該配設面に設けられた少なくとも１つの、先端が平面である凸部と、を含む配設部材と
を備えたインクジェット記録ヘッドの製造方法であって、
前記配設面と前記平面とに接着剤を設ける工程と、
前記記録素子基板の接着がなされる面と前記平面とが平行となる様に、前記記録素子基板を前記接着剤に当接させる工程と、
前記接着剤を硬化させる硬化工程と
を有することを特徴とするインクジェット記録ヘッドの製造方法。
【請求項７】
前記硬化工程では、前記平面に塗布された前記接着剤が前記配設面に塗布された前記接着剤よりも早期に硬化することを特徴とする請求項６に記載のインクジェット記録ヘッドの製造方法。
【請求項８】
前記硬化工程では、前記記録素子基板に光を照射することによって前記記録素子基板を昇温させることを特徴とする請求項６または７に記載のインクジェット記録ヘッドの製造方法。
【請求項９】
前記硬化工程では、ヒータを用いて加熱することによって前記記録素子基板を昇温させることを特徴とする請求項６または７に記載のインクジェット記録ヘッドの製造方法。
【請求項１０】
前記記録素子基板を前記接着剤に当接させる前に、過熱された治具により前記記録素子基板を吸着し保持させることを特徴とする請求項６乃至９のいずれかに記載のインクジェット記録ヘッドの製造方法。
【請求項１１】
前記平面は前記治具と前記記録素子基板との吸着領域に対応する部位に形成されていることを特徴とする請求項１０に記載のインクジェット記録ヘッドの製造方法。
【発明の詳細な説明】
【技術分野】
【０００１】
本発明はインクジェット記録装置に搭載可能なインクジェット記録ヘッドの構成およびその製造方法に関する。特に、インクを吐出するための記録素子が形成された記録素子基板と、当該記録素子基板を配設しこれにインクを供給するための配設部材を、精度の高い状態で短時間に接着する方法に関する。
【背景技術】
【０００２】
インクジェット記録装置は、記録データに応じてインクを吐出する記録素子を複数備えた記録ヘッドを用い、記録媒体にドットを形成することによって画像を記録する。近年では、より高精細で高解像度な画像を記録するために、小液滴を高密度に吐出することが可能な記録ヘッドの開発が推し進められている。
【０００３】
図９は、特許文献１に開示されているサイドシュータ型のインクジェット記録ヘッドの構成を説明するための分解斜視図である。インクジェット記録ヘッド１は、複数の記録素子が配置された記録素子基板１１０と、記録素子基板１１０にインクを供給するための配設部材１２０と、記録素子基板１１０に記録信号を伝達する電気配線基板１３０とを備えている。
【０００４】
図１０は、記録素子基板１１０の構成を一部分解した状態で説明するための斜視図である。記録素子基板１１０は、厚さ０．５〜１ｍｍのＳｉ基板１１１を備え、Ｓｉ基板１１１には溝状の貫通口からなるインク供給口１１２が、Ｓｉの結晶方位を利用した異方性エッチングやサンドブラストなどの方法によって形成されている。また、Ｓｉ基板１１１上のインク供給口１１２を挟んだ両側には、電気熱変換素子１１３が記録解像度に対応したピッチで配列されており、これに電力を供給するためのＡｌ等の電気配線とともに、フォトリソ技術により形成されている。Ｓｉ基板１１１上には、供給されたインクを吐出口１１７まで導くためのインク流路１１６が形成された流路形成部材１１８が、吐出口１１７と電気熱変換素子１１３が対向するように配置されている。１つの記録素子は、電気熱変換素子１１３、インク流路１１６および吐出口１１７によって構成される。インク供給口１１２からインク流路１１６まで導かれたインクは、個々の電気熱変換素子１１３で発生する気泡の成長エネルギによって、吐出口１１７より滴となって吐出される。記録動作に伴って消費されたインクは、記録素子基板１１０と連結された配設部材１２０のインクタンクから安定して供給される仕組みになっている。
【０００５】
配設部材１２０は、このように記録素子基板１１０にインクを供給する役割を果たすが、これとともに記録素子基板１１０を定位置に配設し、支持する役割も果たしている。よって、配設部材１２０と記録素子基板１１０は所定の相対位置に、水平垂直方向共に精度よく配置されることが望まれる。具体的には、まず、記録素子基板１１０のインク供給口１１２が、配設部材１２０に形成されたインク供給路の位置に正確に配置されることが望まれる。また、記録素子基板１１０に配列する複数の記録素子の配列方向が、記録ヘッド１の主走査方向に対し垂直な方向に配列することが望まれる。更に、記録素子基板１１０の吐出口面が配設部材１２０の配設面１２１に対し、平行に配置されることが望まれる。この３番目の条件が満たされないと、吐出口が形成された面が記録媒体面に対し傾きを持つことになるので、吐出されるインクも傾いた状態で記録媒体に着弾し、画像を劣化させる要因となる。
【０００６】
但し、一般に配設部材１２０はコストや加工性等の点からモールド成型品であるため、配設面１２１には複雑な三次元形状が現れ、理想的な平滑性が得られない場合が多い。そして、平滑性に乏しい配設面１２１に、そのまま記録素子基板１１０を接着すると、吐出口が形成された面の傾きは三次元形状の微小な凹凸の影響を直に受け、水平性を確保することが困難になる。
【０００７】
例えば、特許文献２では、配設面１２１に複数個の凸平面部を設け、当該凸平面部について、その平面性を良好な状態に保つことで、吐出口が形成された面の平行性を向上させる技術が開示されている。このような構成であれば、凸平面部以外の配設面１２１に三次元形状の凹凸が含まれていたとしても、吐出口が形成された面の水平性を確保することが出来る。
【０００８】
また、近年では、ＣＣＤカメラなどを利用して記録素子基板１１０を配設面１２１に対して水平垂直方向に正確に位置合わせしておきながら、両者の間に介在する接着剤を紫外線によって硬化させる方法も採用されている。
【０００９】
図１１は、上記方法を採用した記録ヘッドの組み立て工程を説明するための図である。まず、ＳＴＥＰ１によって、配設部材１２０の配設面１２１に熱硬化接着剤１２５を塗布する。次に、ＳＴＥＰ２において、ギャングボンディング法により電気配線基板と電気接続された記録素子基板１１０を、供給フィンガー６００で吸着し、配設部材１２０の上方に移動させる。更に、ＳＴＥＰ２において、２つのＣＣＤカメラを備えた画像処理システムを用いて記録素子基板１１０を水平垂直方向に正確に位置合わせする。
【００１０】
続くＳＴＥＰ３では、記録素子基板１１０を下降させ熱硬化接着剤１２５にこれを当接させる。このとき記録素子基板１１０は、配設部材１２０に完全には当接せず、熱硬化接着剤１５０中に浮いた状態となっている。その後、ＳＴＥＰ４において、上記姿勢を保持したまま、光照射機６２０によって紫外線を照射し、記録素子基板１１０を昇温させる。これにより、記録素子基板１１０に接触する熱硬化接着剤１２５は徐々に硬化し、記録素子基板Ｈ１１００と配設部材１２０とを接着固定する。最後に、記録素子基板１１０周辺と電気接続部を封止剤で封止し、熱キュアを施す事により記録ヘッドが完成する。
【００１１】
このような方法によれば、配設面１２１に微小な凹凸があっても、凹凸の高低差以上の均一な厚みを有する接着剤層によって、記録素子基板１１０の吐出口が形成された面を配設面１２１に対し水平に接着することが出来る。なお、以上説明したような、ＣＣＤや熱硬化接着剤を用いた記録素子基板の接着方法は、例えば特許文献３に開示されている。
【先行技術文献】
【特許文献】
【００１２】
【特許文献１】特開２００６―１５７３３号公報
【特許文献２】特開平１１―１４７３１４号公報
【特許文献３】特開２００２−１５４２０９号公報
【発明の概要】
【発明が解決しようとする課題】
【００１３】
しかしながら、特許文献２の方法であっても、複数の凸平面部同士の高さには、どうしてもある程度のばらつき含まれる。そして、その程度が近年要求されるような高水準の水平性を実現することを困難にしている。具体的には、凸平面部同士の高さのばらつきは、記録位置精度の観点からは１０μｍ以下に抑えたいが、実際のモールド成型では、どうしても２０μｍ程度のばらつきが発生してしまう。
【００１４】
一方、凹凸の高低差以上の接着剤層を形成する構成であれば、複数の凸平面部を設けることなく、記録素子基板１１０の吐出口面を配設面１２１に対し平行に接着することが可能である。具体的には、モールド成型品の配設面１２１には５０μｍ程度の凹凸が存在するが、これよりも大きな７０μｍ程度の厚さを有する接着層を形成すれば、凹凸に左右されることなく記録素子基板１１０を水平に固定することが出来る。
【００１５】
ただし、接着層の厚みを大きくすると、熱硬化接着剤が充分な強度まで硬化するまでに必要な熱量、すなわち硬化のために要される時間が増大する。その結果、インクジェット記録ヘッドを量産するに当たり、タイムコストの上昇が招致されてしまう。
【００１６】
本発明は上記問題点を解決するためになされたものである。よってその目的とするところは、より短い時間で記録素子基板を配設面に対し精度良く接着することが可能なインクジェット記録ヘッドの製造方法を提供することである。
【課題を解決するための手段】
【００１７】
上記課題を解決するための本発明は、インクを吐出するためのエネルギを発生する記録素子を備えた記録素子基板と、該記録素子基板を配設するための配設面を備えた配設部材と、前記記録素子基板の接着がなされる面と前記配設面との間に介在することにより、前記記録素子基板と前記配設部材とを接着するための接着剤とを備えたインクジェット記録ヘッドであって、前記配設面には少なくとも１つの、先端が前記接着がなされる面と平行な平面である凸部、が設けられ、前記接着剤は前記接着がなされる面と前記平面との間にも介在していることを特徴とする。
【００１８】
また、インクを吐出するためのエネルギを発生する記録素子を備えた記録素子基板と、該記録素子基板を配設するための配設面と、該配設面に設けられた少なくとも１つの、先端が平面である凸部と、を含む配設部材とを備えたインクジェット記録ヘッドの製造方法であって、前記配設面と前記平面とに接着剤を設ける工程と、前記記録素子基板の接着がなされる面と前記平面とが平行となる様に、前記記録素子基板を前記接着剤に当接させる工程と、前記接着剤を硬化させる硬化工程とを有することを特徴とする。
【発明の効果】
【００１９】
本発明によれば、記録素子基板と配設部材の接着面の中に熱硬化接着剤層の薄い箇所を部分的に設けることにより、比較的短時間で記録素子基板を配設部材に接着することが可能となる。よって、配設面に凹凸が存在する場合であっても、精度の高い状態で記録素子基板と配設部材を短時間で接着固定し、記録ヘッドの量産性を向上させることが可能となる。
【図面の簡単な説明】
【００２０】
【図１】実施例１のインクジェット記録ヘッドにおける配設部材と記録素子基板の接着状態を説明するための断面図である。
【図２】実施例１の接着前の配設部材の配設面近傍の概略を説明するための上面図である。
【図３】配設部材を形成するのに用いる型の構成を説明するための概略断面図である。
【図４】（ａ）〜（ｃ）は、凸平面部駒において、凸平面部を形成する工程を説明するための概略図である。
【図５】実施例１の記録ヘッドの一連の組み立て工程のうち、凸平面部を持つ配設面に記録素子基板を接着固定する工程を説明するための図である。
【図６】、実施例２のインクジェット記録ヘッドにおける配設部材と記録素子基板の接着状態を説明するための断面図である。
【図７】実施例２の接着前の配設部材の配設面近傍の概略を説明するための上面図である。
【図８】実施例２の記録ヘッドの一連の組み立て工程のうち、凸平面部を持つ配設面に記録素子基板を接着固定する工程を説明するための図である。
【図９】特許文献１に開示されているサイドシュータ型のインクジェット記録ヘッドの構成を説明するための分解斜視図である。
【図１０】記録素子基板の構成を一部分解した状態で説明するための斜視図である。
【図１１】従来の記録ヘッドの組み立て工程を説明するための図である。
【発明を実施するための形態】
【００２１】
（実施例１）
以下に、本実施形態の記録ヘッドおよびその製造方法を詳しく説明する。
【００２２】
図１は、本実施例のインクジェット記録ヘッドにおける配設部材１２０と、吐出口や吐出のためのエネルギを発生する電気熱変換素子を配した記録素子基板１１０の接着状態を説明するための断面図である。また、図２は接着前の配設部材１２０の配設面１２１近傍の概略を説明するための上面図である。
【００２３】
記録素子基板１１０を配設するための配設面１２１はモールド成型品であり、その中央には、インク供給路１２２が備えられている。記録素子基板１１０を破線で示した接続位置１２３に精度よく設置することにより、インク供給路１２２と記録素子基板１１０のインク供給口１１２が連結し、記録素子基板１１０にインクを安定して供給することが出来るようになる。
【００２４】
本実施例において、接続位置１２３の長手方向の両端には、先端が平面である凸平面部１２４が２箇所形成されている。このような凸平面部１２４を設けることにより、凸平面部における記録素子基板１１０と配設面１２１の間に介在する熱硬化接着剤１２５の厚さを凸平面部以外の領域に比べて薄くすることが出来る。このように凸平面部を部分的に形成することで、後述するようにその部位の平面度ばらつきを抑えることが可能となる。平面度のばらつきを抑えるためには、その先端が接着される凸平面部の面積は小さいほうが好ましく、凸平面部同士のばらつきの影響を考慮すると、凸平面部の数は複数であっても少ないほうが好ましい。本実施例のように凸平面部を２個所とすることで凸平面部の平面度を高く保ちつつ、接続位置１２３の長手方向の両端に１つずつ形成することで、記録素子基板の平面の維持が可能となり好ましい。
【００２５】
図３は配設部材Ｈ１２００を形成するのに用いる型５００の構成を説明するための概略断面図である。図に示すように、型５００は、外側駒５１０、内側駒５３０および凸平面部駒５２０の３つの部分から構成され、精度を必要とする凸平面部駒は入れ子構造となっている。
【００２６】
図４（ａ）〜（ｃ）は、凸平面部駒５２０において、凸平面部１２４を形成する工程を説明するための概略図である。図４（ａ）は、切削形成することによって凸平面部１２４以外の形状が形成された平面部駒５２０の側面と上面を示している。
【００２７】
このような状態の平面部駒５２０の凸部予定箇所５２１に対し、放電加工を行うことにより、図４（ｂ）に示すような凸平面部の形状が形成される。更に、形成された型を用いて成形された配設部材の凸平面部の精度を測定し、ずれた分だけ再び放電加工によって凸部の高さ補正を行う。これにより、凸平面部のための型が完成する（図４（ｃ））。
【００２８】
本実施例において、型の成形材料としては、例えば変性ポリフェニレンエーテルを用いることが出来る。この場合、配設面１２１から凸平面部１２４の上面までの高さを０．０５ｍｍとし、凸平面部１２４の平面度のばらつきは０．０１５ｍｍ程度に抑えることが出来る。
【００２９】
図５は、記録ヘッドの一連の組み立て工程のうち、凸平面部１２４を持つ配設面１２１に、記録素子基板１１０を、熱硬化接着剤を介して接着固定する工程を説明するための図である。
【００３０】
まず、ＳＴＥＰ１において、配設部材１２０の配設面１２１に熱硬化接着剤１２５を塗布する。このとき使用される熱硬化接着剤としては、粘度が高く、インク供給口等に流れ込まない性質を持つものが望ましい。
【００３１】
続くＳＴＥＰ２において、記録素子基板１１０を治具（供給フィンガー６００）で吸着し、配設面１２１の上方にこれを移動する。そして、ＣＣＤカメラなどを備えた画像処理システムを利用して、記録素子基板１１０の位置調整を行う。ここで行う位置調整によって、記録素子基板１１０のインク供給口１１２は、配設部材１２０に形成されたインク供給路１２２と連通可能となる。また、記録素子基板１１０は配設面１２１に対して平行に配置される。
【００３２】
ＳＴＥＰ３では、供給フィンガー６００を下降させて、記録素子基板１１０を凸平面部１２４の上面から２０μｍ程度離れた位置に配置し、熱硬化接着剤１２５と当接させる。この状態において熱硬化接着剤１２５は未だ硬化していないので、調整した位置から記録素子基板１１０がずれないように、供給フィンガー６００によって記録素子基板１１０を吸着したまま、その姿勢を保持する。
【００３３】
その後、ＳＴＥＰ４において、記録素子基板表面１２１の供給フィンガーに覆われていない部分に、光照射機６２０によって光を照射する。本実施例では、光源にＵＶ光を使用し、記録素子基板１１０の短手側面端近傍の２箇所に８０００ｍＷ／ｃｍ２（３６５ｎｍ波長）の光を照射する。この照射により、記録素子基板１１０は昇温し、記録素子基板１１０の裏面に存在する熱硬化接着剤１２５は硬化して、記録素子基板１１０と配設部材１２０は上記調整された位置で接着固定される。すなわち、凸平面部１２４の平面度のばらつきは０．０１５ｍｍ程度存在するが、記録素子基板１１０はこの凹凸に影響されること無く、配設部材１２０の凸平面部１２４の上面から約０．０２０ｍｍ（２０μｍ）離れた位置にて、水平に固定される。また、２箇所の凸平面部１２４上に存在する熱硬化接着剤は、ＳＴＥＰ４の硬化工程において厚みが少ない分、平面以外の他の部分よりも早期に硬化する。よって、結果的に、記録素子基板１１０が配設部材１２０に必要な強度で接着固定されるまでの光照射時間を、凸平面部を設けない場合に比べて短縮することが出来る。
【００３４】
本実施例の場合は、凸平面部を設けない場合に比べて光照射時間を約２０％短縮することが出来、記録ヘッド自体の量産性を従来よりも向上させることが可能となった。また本実施例においては、凸平面部を配設部材１２０における接続位置１２３（図２参照）の長手方向の両端に形成したので、記録素子基板１１０の両端部から接着剤が硬化する。よって、短時間（約２秒）でその部位の接着剤が硬化するとともに、配設部材１２０と記録素子基板１１０との水平性を精度良く保つことが可能となる。このような構成は記録素子基板１１０が長くなるほど有効となる。特に記録素子基板の長手方向の長さが０．８５インチ以上になると記録素子基板の平面性を維持することが難しくなるので本実施例の構成は好ましい。
【００３５】
また凸平面部以外の部位に配されている熱硬化接着剤は、この時点ではすべて硬化していなくてもよい。つまり凸平面部にある相対的に薄い熱硬化接着剤のみが硬化していれば良いものである。その他の部位の接着剤については、例えば、記録素子基板１１０と電気配線基板１３０との電気接続部を封止した後に１００℃で１時間程度の加熱を行い、熱硬化接着剤を完全に硬化させればよい。
【００３６】
（実施例２）
図６は、本実施例のインクジェット記録ヘッドにおける配設部材１２０と記録素子基板１１０の接着状態を説明するための断面図である。また、Ｆｉｇ．７は接着前の配設部材１２０の配設面１２１近傍の概略を説明するための上面図である。本実施例では、接続位置１２３の略中央に２つの凸平面部１２６が形成されている。このような位置に凸平面部を設けることにより、記録素子基板１１０と配設面１２１の間の熱硬化接着剤１２５の厚みを部分的に薄くした接着部分を設けることが出来る。
【００３７】
図８は、本実施例の記録ヘッドの一連の組み立て工程のうち、凸平面部１２６を持つ配設面１２１に記録素子基板１１０を接着固定する工程を説明するための図である。
【００３８】
まず、ＳＴＥＰ１において、配設部材１２０の配設面１２１に熱硬化接着剤１２５を塗布する。このとき使用される熱硬化接着剤としては、実施例１と同様、粘度が高く、インク供給口等に流れ込まない性質を持つものが望ましい。
【００３９】
続くＳＴＥＰ２において、内蔵されたヒータ６０１によって既に一定温度（本実施例では１５０℃）に加熱された供給フィンガー６００を用い、記録素子基板１１０を吸着し、配設面１２１の上方にこれを移動する。そして、ＣＣＤカメラなどを備えた画像処理システムを利用して、記録素子基板１１０の位置調整を行う。ここで行う位置調整によって、記録素子基板１１０のインク流路は、配設部材１２０に形成されたインク供給路１２２と連通可能となる。また、記録素子基板１１０は配設面１２１に対して平行に配置される。
【００４０】
ＳＴＥＰ３では、供給フィンガー６００を下降させて、記録素子基板１１０を凸平面部１２６の上面から２０μｍ程度離れた位置に配置し、熱硬化接着剤１２５と当接させる。本実施例では、記録素子基板１１０が既に加熱されているので、これが熱効果接着剤１２５に当接した瞬間から、熱硬化接着剤１２５の硬化は開始する。充分に熱硬化接着剤が硬化するまでの間、記録素子基板１１０が調整した位置からずれないように、供給フィンガー６００は記録素子基板１１０を吸着した状態でその姿勢を維持する。少なくとも記録素子基板１１０と凸平面部１２６の間の熱硬化接着剤１２５が充分に硬化したら、供給フィンガー６００による記録素子基板１１０の吸着を解除する。
【００４１】
以上説明した工程により、記録素子基板１１０と配設部材１２０は上記調整された位置で接着固定される。凸平面部１２６の平面度のばらつきは０．０１５ｍｍ程度存在するが、記録素子基板１１０はこの凹凸に影響されること無く、配設部材１２０の凸平面部１２６の上面から約２０μｍ離れた位置にて、ほぼ水平に固定される。また、凸平面部１２６上に存在する熱硬化接着剤は、ＳＴＥＰ３の硬化工程において、厚みが少ない分他の部分よりも早期に硬化する。
【００４２】
更に本実施例では、熱硬化接着剤１２５と当接する以前から記録素子基板１１０が加熱されているので、上述した実施例１よりも、記録素子基板１１０が配設部材１２０に必要な強度で接着固定されるまでの時間を更に短縮することが期待出来る。また本実施例のように過熱された供給フィンガーを使用する際には、凸平面部を供給フィンガーと記録素子基板との吸着領域に対応する部位に設けることが伝熱を考慮すると好ましい。特に供給フィンガーからの熱をすみやかに記録素子基板に伝熱する点を考慮すると、凸平面部を配設部材１２０における記録素子基板１１０の中央部に対応する位置に２箇所形成することが好ましい。
【００４３】
なお、以上の実施例では、光源にＵＶ光を使用したり、直接記録素子基板を加熱したりしたが、使用する熱硬化接着剤が硬化するに充分な熱量が得られさえすれば、どのような手段で、熱硬化接着剤を過熱しても構わない。例えば、赤外線等の他の光源を使用することも可能である。
【００４４】
また、上記実施例では、成形材料として変性ポリフェニレンエーテルを用い、配設面１２１から凸平面部１２６の上面までの高さを０．０５ｍｍとしたが、本発明はこれに限定されるものではない。配設面１２１から凸平面部１２６の上面までの高さは、数値的には０．０１〜０．２０ｍｍ位が望ましいが、成形材料特性、金型精度、熱硬化接着剤の物性値等を考慮して適切な値に調整されれば本発明は有効に機能する。
【００４５】
更に、凸平面部を形成する位置も上記２つの実施例に限定されるものではない。凸平面部を設けた箇所の熱硬化接着剤をなるべく早い時期に硬化させるように、記録素子基板の凸平面部に対応する部分が効果的に加熱されれば、本発明の効果は充分得ることが出来る。
【００４６】
また、記録素子基板を精度良く接着するためには、凸平面部を３箇所設けることも好ましい。この場合、凸平面部を、インク供給路１２２の一方の側の領域の接続位置１２３の長手方向の両端部に２つ、インク供給路の他方の側の領域の、接続位置１２３の長手方向の中央部に１つ、凸平面部を設けることが好ましい。
【００４７】
以上説明したように本発明によれば、記録素子基板と配設部材の接着面の中に接着剤層の薄い箇所を部分的に設け、記録素子基板と配設部材の相対的な位置を調整した後に、上記薄い箇所の接着剤層を硬化させる。これにより、比較的短時間で記録素子基板を配設部材に精度よく接着することが可能となる。結果、配設面に凹凸が存在する場合であっても、精度の高い状態で記録ヘッドの量産性を向上させることが可能となる。
【符号の説明】
【００４８】
１  インクジェット記録ヘッド
１１０  記録素子基板
１１２  インク供給口
１１３  電気熱変換素子
１１６  インク流路
１１７  吐出口
１１１  Ｓｉウェハー
１２０  配設部材
１２１  配設面
１２２  インク供給路
１２３  接着位置
１２４  凸平面部
１２５  熱硬化接着剤
１２６  凸平面部
１３０  電気配線基板
５００  型
５１０  外側駒
５２０  平面部駒
５２１  凸部予定箇所
５３０  内側駒
６００  供給フィンガー
６０１  ヒータ
６２０  光照射機
【図１】
2010012774.tif 000003
【図２】
2010012774.tif 000004
【図３】
2010012774.tif 000005
【図４】
2010012774.tif 000006
【図５】
2010012774.tif 000007
【図６】
2010012774.tif 000008
【図７】
2010012774.tif 000009
【図８】
2010012774.tif 000010
【図９】
2010012774.tif 000011
【図１０】
2010012774.tif 000012
【図１１】
2010012774.tif 000013